(57)【要約】【解決手段】断面形状を正方形、長方形、正六角形、あるいは楕円とし、かつ、メビウスの輪状に１８０度ねじれた環状部分１に対し、その環状部分１断面と相似形の穴をもち、環状部分１に貫通された宝石等３を留めた可動式の台座２が、環状部分１を一回りするごとに外側向きと内側向きになり、指輪をペンダントトップとして使用した際にも、宝石等３を環状部分１に対して内向きにでき、宝石等を見せた状態で装着できる。【特許請求の範囲】
【請求項１】
断面形状を線対称形状（正方形、長方形、正六角形、楕円  等）とし、かつ、９０度、あるいは１８０度にねじれた環状部分（いわゆるメビウスの輪状）に対し、その環状部断面と相似形状の穴をもち、環状部に貫通された宝石等を留めた可動式の台座が、環状部分を一周するごとに向きが変る仕組みを備えた事を特徴とする指輪またはペンダントトップ
【請求項２】
断面形状が正方形、長方形、正六角形、あるいは楕円となる断面を持ち、かつ、メビウスの輪状に１８０度ねじれた環状部分に対し、その環状部断面と相似形状の穴をもち、環状部に貫通された宝石等を留めた可動式の台座が、環状部分を一回りするごとに外側向きと内側向きになり、なおかつ台座が不用意に垂直方向に回転しない仕組みを備えた事を特徴とし、台座に留めた宝石等を、指輪として使用する際には環の外側に向けて装着でき、ペンダントトップとして使用する際には環の内側（装着時上向き）に向けて使用でき、常に宝石等を見せることのできる指輪兼ペンダントトップ
【発明の詳細な説明】
【技術分野】
【０００１】  本発明はペンダントトップとしても使用できる指輪に関するものである
【背景技術】
【０００２】  従来の指輪は、宝石等が環状の腕に固定されている事が普通である【０００３】  近年、指輪をペンダントトップとして鎖等に通して装着する例がみられるようになっている。
【従来技術】
【０００４】  宝石等を装着した台座が、環状部分に固定されておらず、台座が環状部分に対して垂直に回転するもの（特許公開２００１−２１７）
【０００５】  回転する台座本体に鎖を通す方式で宝石等が下を向かないようにしたもの（実用新案３００１１１７）
【発明の開示】
【発明が解決しようとする課題】
【０００６】  宝石等が装着された指輪を、ペンダントトップとして鎖等に通して装着する場合、一般的な指輪は、宝石等の重みにより、宝石等の台座が下方に位置する状態で吊り下がり、結果として宝石等は下向きとなり、ペンダントトップ装着時に宝石等を見せる事ができない。ペンダントとして使用する際に、宝石等を見せられる指輪もあるが、そのために必要とされる機構（穴等）が外観に影響を与え、デザインの自由度に制限ができてしまう。
【課題を解決するための手段】
【０００７】  本発明は、指輪として装着する際には宝石等を環状の外側に向け、また、ペンダントトップとして使用する際には宝石等を環状の内側（装着時上向き）に向ける事が可能で、かつ台座が不用意に回転しない形状とすることで、指輪をペンダントトップとして使用した際にも、宝石等を見せる事ができる事を可能にしたものである
【発明を実施するための最良の形態】
【０００８】  本発明は、環状部分の断面形状を線対称形状（正方形、長方形、正六角形、楕円  等）とし、その断面形状と相似形の穴を持つ台座が環状部分に貫通されていることにより、台座が可動式でありながら、その台座が不用意に回転することを防ぎ、かつ、その環状部分がメビウスの輪状に１８０度ねじれた状態となっていることで、可動式の台座を環に対して一周させるごとに、宝石等を留めた面の向きを、外側と内側に変更するができるという特徴を備えることで、従来の問題点である、指輪をペンダントトップとして装着した際に、宝石等が下向きとなってしまい宝石等を見せる事ができない、という問題点を解決するものである。
【図面の簡単な説明】
【０００９】  今、図面に基づいてこの発明に関する、宝石等を留めた台座の動きについて述べる。図１は、この台座が、宝石等を環に対して外向きにセットした上体を示す側面図である。この状態では、指輪として使用し、宝石等を見せる事が可能である。この台座は、図３に示す台座形状詳細図のように、環状部分の断面形状を拡大した、断面形状と相似形となる穴をもち、その穴に、環状部分が貫通されている。このことにより、この台座は、環状部分を水辺方向には動かすことが可能である。しかしながら、断面形状および穴形状が線対称形状（図２では例として正方形を示す）であることから、垂直方向に回転することはできない。図１に示すように、環状部分は、メビウスの輪状に１８０度ねじれた形状をしているので、台座を図１の状態で、環に対して水平方向に移動させてゆくと、このねじれの部分で、環状部分のねじれにそって、台座全体が１８０度回転し、再度、もとの位置（図１、図４における、環の上部）に台座が戻ってきたときには、台座が環に対して内側を向いた状態（図４）となる。この状態では、ペンダントトップとして鎖等に環状部分を通して使用した場合、宝石等の重みにより、台座が下方になるように装着される（図５）。結果として、ペンダントトップとして使用した際にも、宝石等が上面を向き、宝石等を見せた状態で、装着する事が可能となる。
【図１】
2006280865.tif 000002
【図２】
2006280865.tif 000003
【図３】
2006280865.tif 000004
【図４】
2006280865.tif 000005
【図５】
2006280865.tif 000006
【手続補正書】
【提出日】平成17年11月21日(2005.11.21)
【手続補正１】
【補正対象書類名】特許請求の範囲
【補正対象項目名】請求項２
【補正方法】変更
【補正の内容】
【請求項２】
断面形状が正方形、長方形、正六角形、あるいは楕円となる断面を持ち、かつ、メビウスの輪状に１８０度ねじれた環状部分１に対し、その環状部分１断面と相似形状の穴をもち、環状部分１に貫通された宝石等３を留めた可動式の台座２が、環状部分１を一回りするごとに外側向きと内側向きになる仕組みを備えた事を特徴とし、台座２に留めた宝石等３を、指輪として使用する際には環状部分１の外側に向けて装着でき、ペンダントトップとして使用する際には環状部分１の内側に向けて使用でき、常に宝石等３を見せることのできる指輪兼ペンダントトップ
【手続補正２】
【補正対象書類名】明細書
【補正対象項目名】０００６
【補正方法】変更
【補正の内容】
【０００６】宝石等が装着された指輪を、ペンダントトップとして鎖等に通して装着する場合、一般的な指輪は、宝石等の重みにより、宝石等の台座が下方に位置する状態で吊り下がり、結果として宝石等は下向きとなり、ペンダントトップ装着時に宝石等を見せる事ができない。ペンダントとして使用する際に、宝石等を見せられる指輪もあるが、そのために必要とされる機構が外観に影響を与え、デザインの自由度に制限ができてしまう。
【手続補正３】
【補正対象書類名】明細書
【補正対象項目名】０００７
【補正方法】変更
【補正の内容】
【０００７】本発明は、指輪として装着する際には宝石等３を環状部分１の外側に向け、また、ペンダントトップとして使用する際には宝石等３を環状部分１の内側に向ける事が可能で、指輪をペンダントトップとして使用した際にも、宝石等３を見せる事ができる事を可能にしたものである。
【手続補正４】
【補正対象書類名】明細書
【補正対象項目名】０００８
【補正方法】変更
【補正の内容】
【０００８】本発明は、環状部分１の断面形状を正方形、長方形、正六角形、あるいは楕円とし、その断面形状と相似形の穴を持つ台座２が環状部分１に貫通されていることに加え、その環状部分１がメビウスの輪状に１８０度ねじれた状態となっていることで、可動式の台座２を環状部分１に対して一周させるごとに、宝石等３を留めた面の向きを、外側と内側に変更するができるという特徴を備えることで、従来の問題点である、指輪をペンダントトップとして装着した際に宝石等３が下向きとなってしまい宝石等３を見せる事ができないという問題点を解決するものである。
【手続補正５】
【補正対象書類名】明細書
【補正対象項目名】０００９
【補正方法】変更
【補正の内容】
【０００９】今、図面に基づいてこの発明に関する、宝石等３を留めた台座２の動きについて述べる。図１は、この台座２が、宝石等３を環状部分１に対して外向きにセットした上体を示す側面図である。この状態では、指輪として使用し、宝石等３を見せる事が可能である。この台座２は、図３に示す台座形状詳細図のように、環状部分１の断面形状を拡大した、断面形状と相似形となる穴をもち、その穴に、環状部分１が貫通されている。このことにより、この台座２は、環状部分１を水辺方向には動かすことが可能である。しかしながら、環状部分１の断面形状および台座２の穴形状が正方形、長方形、正六角形、あるいは楕円（図２では例として正方形を示す）であることから、台座２は環状部分１に対して垂直方向に回転することはできない。図１に示すように、環状部分１は、メビウスの輪状に１８０度ねじれた形状をしているので、台座２を図１の状態で、環状部分１に対して水平方向に移動させてゆくと、このねじれの部分で、環状部分１のねじれにそって、台座２全体が１８０度回転し、再度、もとの位置（図１、図４における、環状部分１の上部）に台座２が戻ってきたときには、台座２が環状部分１に対して内側を向いた状態（図４）となる。この状態では、ペンダントトップとして鎖等に環状部分１を通して使用した場合、宝石等３の重みにより、台座２が下方になるように装着される（図５）。結果として、ペンダントトップとして使用した際にも、宝石等３が上面を向き、宝石等３を見せた状態で、装着する事が可能となる。
【手続補正７】
【補正対象書類名】図面
【補正対象項目名】全図
【補正方法】変更
【補正の内容】
【図１】
2006280865.tif 000007
【図２】
2006280865.tif 000008
【図３】
2006280865.tif 000009
【図４】
2006280865.tif 000010
【図５】
2006280865.tif 000011
【手続補正書】
【提出日】平成18年2月4日(2006.2.4)
【手続補正１】
【補正対象書類名】特許請求の範囲
【補正対象項目名】請求項１
【補正方法】変更
【補正の内容】
【請求項１】
断面形状を正方形、長方形、正六角形、楕円  等の線対称形状とし、かつ、９０度、あるいは１８０度にねじれたメビウスの輪状の環状部分に対し、その環状部分断面と相似形状の穴をもち、環状部分に貫通された宝石等を留めた可動式の台座が、環状部分を一周するごとに向きが変る仕組みを備えた事を特徴とする指輪兼ペンダントトップ